(57)【要約】【課題】  無駄な電力消費を抑え、省エネ化を図ることが可能な印刷機を提供する。【解決手段】  給紙部と、給紙部から供給される連続紙に印刷を施す印刷部と、印刷後の連続紙を断裁して折り畳むことで折丁を形成する折部と、印刷部から折部に至る連続紙の走行経路を形成するレールフレーム部とを備える印刷機であって、給紙部を照らす給紙部照明灯と、印刷部を照らす印刷部照明灯と、折部を照らす折部照明灯と、レールフレーム部を照らすレールフレーム部照明灯とを更に備え、給紙部照明灯、印刷部照明灯、折部照明灯及びレールフレーム部照明灯は、各々独立して点灯制御可能に構成されている。【選択図】図２
2020104444.tif 000002
【特許請求の範囲】
【請求項１】
給紙部と、
前記給紙部から供給される連続紙に印刷を施す印刷部と、
印刷後の連続紙を断裁して折り畳むことで折丁を形成する折部と、
前記印刷部から前記折部に至る連続紙の走行経路を形成するレールフレーム部と
を備える印刷機であって、
前記給紙部を照らす給紙部照明灯と、前記印刷部を照らす印刷部照明灯と、前記折部を照らす折部照明灯と、前記レールフレーム部を照らすレールフレーム部照明灯とを更に備え、
前記給紙部照明灯、前記印刷部照明灯、前記折部照明灯及び前記レールフレーム部照明灯は、各々独立して点灯制御可能に構成されている
ことを特徴とする印刷機。
【請求項２】
前記給紙部及び前記印刷部は、それぞれ複数設けられており、
前記給紙部照明灯は、前記給紙部毎に設けられ、各々独立して点灯制御可能に構成されており、
前記印刷部照明灯は、前記印刷部毎に設けられ、各々独立して点灯制御可能に構成されている
ことを特徴とする請求項１に記載の印刷機。
【請求項３】
前記給紙部は、前記給紙部照明灯を点灯制御可能な給紙部制御盤を備え、
前記給紙部制御盤は、機械停止中における点灯制御と、印刷中における点灯制御とを各々独立して設定可能に構成されている
ことを特徴とする請求項１又は２に記載の印刷機。
【請求項４】
前記印刷部は、前記印刷部照明灯を点灯制御可能な印刷部制御盤を備え、
前記印刷部制御盤は、機械停止中における点灯制御と、印刷中における点灯制御とを各々独立して設定可能に構成されている
ことを特徴とする請求項１〜３いずれか１項に記載の印刷機。
【請求項５】
前記レールフレーム部は、前記レールフレーム部照明灯を点灯制御可能なレールフレーム部制御盤を備え、
前記レールフレーム部制御盤は、機械停止中における点灯制御と、印刷中における点灯制御とを各々独立して設定可能に構成されている
ことを特徴とする請求項１〜４いずれか１項に記載の印刷機。
【請求項６】
前記折部は、前記折部照明灯を点灯制御可能な折部制御盤を備え、
前記折部制御盤は、機械停止中における点灯制御と、印刷中における点灯制御とを各々独立して設定可能に構成されている
ことを特徴とする請求項１〜５いずれか１項に記載の印刷機。
【請求項７】
前記印刷部照明灯は、前記印刷部の操作側に配置されるＯＳ側照明灯と、該印刷部の非操作側に配置されるＤＳ側照明灯とを備え、
前記ＯＳ側照明灯及び前記ＤＳ側照明灯は、各々独立して点灯制御可能に構成されている
ことを特徴とする請求項１〜６いずれか１項に記載の印刷機。
【発明の詳細な説明】
【技術分野】
【０００１】
本発明は、例えば新聞を印刷するために用いられる印刷機に関するものである。
【背景技術】
【０００２】
従来、新聞を印刷するために用いられる印刷機として、複数の巻取紙を保持する給紙部と、給紙部から供給される連続紙に印刷を施す印刷部と、印刷後の連続紙を断裁して折り畳むことで折丁を形成する折部と、印刷部から折部に至る連続紙の走行経路を形成するレールフレーム部とを備える所謂新聞用オフセット輪転印刷機が知られている。
【０００３】
通常、新聞用オフセット輪転印刷機は工場内に設置されており、該工場には、新聞用オフセット輪転印刷機を照らす複数の照明装置が設けられている。従来の照明装置は、工場内の壁面等に設けられた点灯スイッチを作業者が操作することによって、点灯状態と消灯状態とを一括して切り替えるものが一般的である。
【０００４】
また、近年、新聞用オフセット輪転印刷機による印刷の開始時に照明装置を点灯させ、印刷の終了時に照明装置を消灯させる印刷設備用電力管理システムが提案されている（特許文献１）。
【先行技術文献】
【特許文献】
【０００５】
【特許文献１】特開２０１５−１４７３７１号公報
【発明の概要】
【発明が解決しようとする課題】
【０００６】
一般的に、新聞用オフセット輪転印刷機により印刷が行われている状態では、各ユニットの操作側については操作等のために作業者が立ち寄ることがあるものの、レールフレーム部や各ユニットの駆動部側は操作等の必要がないため、作業者が立ち寄ることはほぼ無い。しかしながら、点灯状態と消灯状態とを一括して切り替える従来の照明装置では、このように作業者が立ち寄ることが無く、照明装置で照らす必要が無い領域についても照明装置が点灯されているため、無駄な電力が消費されているという問題がある。また、この問題は、特許文献１の印刷設備用電力管理システムにおいても同様に生じるものである。
【０００７】
本発明は、上述した従来技術の問題点に鑑みてなされたものであり、その目的は、無駄な電力消費を抑え、省エネ化を図ることが可能な印刷機を提供することにある。
【課題を解決するための手段】
【０００８】
本発明に係る印刷機は、給紙部と、前記給紙部から供給される連続紙に印刷を施す印刷部と、印刷後の連続紙を断裁して折り畳むことで折丁を形成する折部と、前記印刷部から前記折部に至る連続紙の走行経路を形成するレールフレーム部とを備える印刷機であって、前記給紙部を照らす給紙部照明灯と、前記印刷部を照らす印刷部照明灯と、前記折部を照らす折部照明灯と、前記レールフレーム部を照らすレールフレーム部照明灯とを更に備え、前記給紙部照明灯、前記印刷部照明灯、前記折部照明灯及び前記レールフレーム部照明灯は、各々独立して点灯制御可能に構成されていることを特徴とする。
【０００９】
本発明に係る印刷機において、前記給紙部及び前記印刷部は、それぞれ複数設けられており、前記給紙部照明灯は、前記給紙部毎に設けられ、各々独立して点灯制御可能に構成されており、前記印刷部照明灯は、前記印刷部毎に設けられ、各々独立して点灯制御可能に構成されることが好ましい。
【００１０】
本発明に係る印刷機において、前記給紙部は、前記給紙部照明灯を点灯制御可能な給紙部制御盤を備え、前記給紙部制御盤は、機械停止中における点灯制御と、印刷中における点灯制御とを各々独立して設定可能に構成されることが好ましい。
【００１１】
本発明に係る印刷機において、前記印刷部は、前記印刷部照明灯を点灯制御可能な印刷部制御盤を備え、前記印刷部制御盤は、機械停止中における点灯制御と、印刷中における点灯制御とを各々独立して設定可能に構成されることが好ましい。
【００１２】
本発明に係る印刷機において、前記レールフレーム部は、前記レールフレーム部照明灯を点灯制御可能なレールフレーム部制御盤を備え、前記レールフレーム部制御盤は、機械停止中における点灯制御と、印刷中における点灯制御とを各々独立して設定可能に構成されることが好ましい。
【００１３】
本発明に係る印刷機において、前記折部は、前記折部照明灯を点灯制御可能な折部制御盤を備え、前記折部制御盤は、機械停止中における点灯制御と、印刷中における点灯制御とを各々独立して設定可能に構成されることが好ましい。
【００１４】
本発明に係る印刷機において、前記印刷部照明灯は、前記印刷部の操作側に配置されるＯＳ側照明灯と、該印刷部の非操作側に配置されるＤＳ側照明灯とを備え、前記ＯＳ側照明灯及び前記ＤＳ側照明灯は、各々独立して点灯制御可能に構成されることが好ましい。
【発明の効果】
【００１５】
本発明によれば、無駄な電力消費を抑え、省エネ化を図ることが可能な印刷機を提供することができる。
【図面の簡単な説明】
【００１６】
【図１】一実施形態に係る印刷機の概略構成を示す図である。
【図２】各照明灯の制御系を示す図である。
【図３】ＯＳ側照明灯、ＤＳ側照明灯及び側部照明灯の配置を示す図である。
【図４】機内照明設定画面の一例を示す図である。
【図５】印刷機の稼働状況に対する照明灯の点灯制御を示すタイムチャートである。
【発明を実施するための形態】
【００１７】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１８】
［輪転印刷機の全体構成］
まず、本実施形態に係るオフセット輪転印刷機１の全体構成について説明する。なお、本実施形態に係るオフセット輪転印刷機１は、後述する機内照明システムに関連する構成を除き、既存のオフセット輪転印刷機を適宜流用することが可能であるため、各構成の詳細な説明は省略する。
【００１９】
本実施形態に係るオフセット輪転印刷機１は、新聞を印刷するために用いられる所謂新聞用オフセット輪転印刷機であり、図１に示すように、複数の巻取紙Ｒを保持する複数（図示の例では５台）の給紙部（第１〜第５給紙部２ａ〜２ｅ）と、第１〜第５給紙部２ａ〜２ｅから供給される連続紙（図示せず）に印刷を施す複数（図示の例では５台）の印刷部（第１〜第５印刷部４ａ〜４ｅ）と、印刷後の単数又は複数の連続紙を所定のカットオフ（断裁長）で断裁して個々の枚葉状シート群を作成し、該枚葉状シート群を折り畳んで所望の折丁を作成する折部８と、各第１〜第５印刷部４ａ〜４ｅから折部８に至る連続紙の走行経路を形成する複数（図示の例では５台）のレールフレーム部（第１〜第５レールフレーム部６ａ〜６ｅ）と、オフセット輪転印刷機１の機内を照らす機内照明システムとを備えている。なお、図示の例では、給紙部、印刷部及びレールフレーム部からなるタワーが５列設けられる構成を図示したが、これに限定されず、作成する折丁の構成に応じて、給紙部、印刷部及びレールフレーム部の構成及びその設置数は任意に設定することができる。
【００２０】
本実施形態に係るオフセット輪転印刷機１は、図１に示すように、工場（建屋）内の地下階（給紙フロア）から３階部分（上段フロアー）に亘って設置されている。具体的には、本実施形態に係るオフセット輪転印刷機１は、工場の地下階（給紙フロア）に第１〜第５給紙部２ａ〜２ｅが設置され、該工場の１階部分（印刷フロア）に第１、第２及び第５印刷部４ａ，４ｂ，４ｅの後述する下部側印刷ユニット５ａと、第３及び第４印刷部４ｃ，４ｄと、折部８の下側部分とが設置され、該工場の２階部分（中段フロア）に第１、第２及び第５印刷部４ａ，４ｂ，４ｅの後述する上部側印刷ユニット５ｂと、第３及び第４レールフレーム部６ｃ，６ｄの下側部分と、折部８の上側部分とが設置され、該工場の３階部分（上段フロアー）に第１、第２及び第５レールフレーム部６ａ，６ｂ，６ｅと、第３及び第４レールフレーム部６ｃ，６ｄの上側部分とが設置されている。
【００２１】
第１〜第５給紙部２ａ〜２ｅは、図１に示すように、それぞれ、連続紙がロール状に巻き取りされた複数の巻取紙Ｒを保持する保持アームと、巻取紙Ｒから引き出された連続紙を対応する印刷部（４ａ〜４ｅ）へ向けて送り出すインフィードローラー（図示せず）と、インフィードローラーの下流に配されたダンサーローラー（図示せず）と、連続紙と待機状態の巻取紙Ｒとを自動的に紙継ぎする紙継ぎ装置（図示せず）とを備えている。なお、本実施形態に係るオフセット輪転印刷機１において、第１〜第５給紙部２ａ〜２ｅは、上述の構成に限定されず、オフセット輪転印刷機に採用可能な構成であれば、種々の構成を採用可能である。
【００２２】
また、第１〜第５給紙部２ａ〜２ｅは、図２に示すように、それぞれ、各給紙部２ａ〜２ｅの各種制御を実行する給紙部制御盤１０を備えている。給紙部制御盤１０は、各給紙部２ａ〜２ｅを動作させるための通常の稼働制御に加え、機内照明システムの後述する給紙部照明灯２０の点灯制御を実行可能に構成されている。このような給紙部制御盤１０は、各給紙部２ａ〜２ｅを動作させるために従来用いられている既存の給紙部制御盤に、後述する給紙部照明制御部を組み込むことで実現することが可能である。
【００２３】
第１〜第５印刷部４ａ〜４ｅは、図１に示すように、それぞれ、インキ供給装置（図示せず）と、湿し水供給装置（図示せず）と、版胴と、ブランケット胴とが連続紙を挟んで一対配された印刷カップルを複数備えている。具体的には、第１、第２及び第５印刷部４ａ，４ｂ，４ｅは、２対の印刷カップルが設けられた下部側印刷ユニット５ａと、該下部側印刷ユニット５ａの上部に設置され、同じく２対の印刷カップルが設けられた上部側印刷ユニット５ｂとからなる多色（本実施形態では、シアン、マゼンタ、イエロー及びブラックの４色）印刷用のタワー型カラーユニットであり、工場の１階から２階に亘って設置されている。また、第３及び第４印刷部４ｃ，４ｄは、２対の印刷カップルが設けられた単色又は二色印刷用の印刷ユニットであり、工場の１階に設置されている。なお、本実施形態に係るオフセット輪転印刷機１において、各印刷部４ａ〜４ｅは、上述の構成に限定されず、オフセット輪転印刷機に採用可能な構成であれば、種々の構成を採用可能である。
【００２４】
また、第１〜第５印刷部４ａ〜４ｅは、図２に示すように、それぞれ、各印刷部４ａ〜４ｅの各種制御を実行する印刷部制御盤１２を備えている。なお、第１、第２及び第５印刷部４ａ，４ｂ，４ｅにおいては、下部側印刷ユニット５ａに印刷部制御盤１２が設けられている。印刷部制御盤１２は、各印刷部４ａ〜４ｅを動作させるための通常の稼働制御に加え、機内照明システムの後述する印刷部照明灯（ＯＳ側照明灯２２、ＤＳ側照明灯２４及び側部照明灯２６）の点灯制御を実行可能に構成されている。このような印刷部制御盤１２は、各印刷部４ａ〜４ｅを動作させるために従来用いられている既存の印刷部制御盤に、後述する印刷部照明制御部を組み込むことで実現することが可能である。
【００２５】
第１〜第５レールフレーム部６ａ〜６ｅは、図１に示すように、それぞれ、各印刷部４ａ〜４ｅの上部に位置し、各印刷部４ａ〜４ｅから送り出された倍幅の連続紙を２分の１幅に断裁し、ページ順に重ねて折部８まで導くよう構成されている。具体的には、各レールフレーム部６ａ〜６ｅは、各印刷部４ａ〜４ｅから排出された倍幅の連続紙を牽引することでレールフレーム部６ａ〜６ｅの内部へ送り込むアウトフィードローラー（図示せず）と、レールフレーム部６ａ〜６ｅの内部において、スリッターナイフ機構（図示せず）と協働して連続紙を２分の１幅に裁断する第１ドラッグローラー（図示せず）及び２分の１幅にされた連続紙を牽引する複数のドラッグローラー（図示せず）とを備えている。なお、本実施形態に係るオフセット輪転印刷機１において、各レールフレーム部６ａ〜６ｅは、上述の構成に限定されず、オフセット輪転印刷機に採用可能な構成であれば、種々の構成を採用可能である。
【００２６】
また、第１〜第５レールフレーム部６ａ〜６ｅは、図２に示すように、それぞれ、各レールフレーム部６ａ〜６ｅの各種制御を実行するレールフレーム部制御盤１４を備えている。なお、図２においては、第４レールフレーム部６ｄのレールフレーム部制御盤１４のみを図示している。第４レールフレーム部６ｄのレールフレーム部制御盤１４は、第４レールフレーム部６ｄを動作させるための通常の稼働制御に加え、機内照明システムの後述するレールフレーム部照明灯（ＯＳ側照明灯２８及びＤＳ側照明灯３０）の点灯制御を実行可能に構成されている。このようなレールフレーム部制御盤１４は、第４レールフレーム部６ｄを動作させるために従来用いられている既存のレールフレーム部制御盤に、後述するレールフレーム部照明制御部を組み込むことで実現することが可能である。
【００２７】
折部８は、図１に示すように、工場の１階部分から２階部分に亘って設置されており、各レールフレーム部６ａ〜６ｅから送り出された複数の連続紙を重ね合わせて下流側のフォーマー部に送り出す折上ドラッグローラー（図示せず）と、折上ドラッグローラー（図示せず）によって重ね合わされた連続紙を縦折りするフォーマー（図示せず）と、フォーマー（図示せず）により縦折りされた連続紙を牽引するニッピングローラー（図示せず）と、連続紙を幅方向に断裁して個々の枚葉状シート群を作成する鋸胴（図示せず）と、断裁された枚葉状シート群を幅方向に沿って横折りして折丁を作成する操作側及び駆動側の折胴（図示せず）と、操作側及び駆動側の折胴においてそれぞれ形成された折丁を下流側に搬送する搬送機構（図示せず）とを備えている。なお、本実施形態に係るオフセット輪転印刷機１において、折部８は、上述の構成に限定されず、オフセット輪転印刷機に採用可能な構成であれば、種々の構成を採用可能である。
【００２８】
また、折部８は、図２に示すように、折部８の各種制御を実行する折部制御盤１６と、輪転機全体の運転に関する各種情報を設定入力可能な操作盤１８とを備えている。折部制御盤１６は、折部８を動作させるための通常の稼働制御に加え、機内照明システムの後述する折部照明灯（ＯＳ側照明灯３２、ＤＳ側照明灯３４及び側部照明灯３６）の点灯制御を実行可能に構成されている。このような折部制御盤１６は、折部８を動作させるために従来用いられている既存の折部制御盤に、後述する折部照明制御部を組み込むことで実現することが可能である。また、操作盤１８は、輪転機全体の運転に関する各種情報に加え、機内照明システムの制御条件を設定入力可能な折部グラフィックパネルＧＰ（図４参照）を備えている。
【００２９】
［機内照明システムの機械的構成］
次に、本実施形態に係る機内照明システムの構成について、図１〜図３を用いて説明する。本実施形態に係る機内照明システムは、図１〜図３に示すように、各給紙部２ａ〜２ｅを照らす給紙部照明灯２０と、各印刷部４ａ〜４ｅを照らす印刷部照明灯２２，２４，２６と、第３及び第４レールフレーム部６ｃ，６ｄの２階（中段フロア）部分を照らすレールフレーム部照明灯２８，３０と、折部８を照らす折部照明灯３２，３４，３６とを備えている。
【００３０】
本実施形態において、給紙部照明灯２０、印刷部照明灯２２，２４，２６、レールフレーム部照明灯２８，３０及び折部照明灯３２，３４，３６は、いずれも長尺状のＬＥＤ照明灯を好適に用いることが可能であるが、これに限定されず、蛍光灯等の種々の照明灯を採用可能である。
【００３１】
給紙部照明灯２０は、図１に示すように、各給紙部２ａ〜２ｅを挟み込むように該給紙部の側部に配置されている。具体的には、給紙部照明灯２０は、第１給紙部２ａの両側部、第２給紙部２ｂの両側部、第３給紙部２ｃの両側部、第４給紙部２ｄの両側部及び第５給紙部２ｅの両側部に配置されている。各給紙部照明灯２０は、その長手方向が各給紙部２ａ〜２ｅの奥行き方向（保持アームの回転軸方向）と整合するよう、工場の地下階の天井又は各給紙部２ａ〜２ｅのフレーム内等の任意の箇所に取り付けられている。
【００３２】
各給紙部照明灯２０は、図２に示すように、近傍に設置された給紙部（２ａ〜２ｅ）の給紙部制御盤１０に電気的に接続され、該給紙部制御盤１０から供給される電力により点灯するよう構成されている。なお、給紙部間に設置された給紙部照明灯２０は、図２に示すように、隣接する給紙部のうち、折部８に近い側に設置された給紙部の給紙部制御盤１０に接続されている。具体的には、第１給紙部２ａと第２給紙部２ｂとの間に設置された２つの給紙部照明灯２０は、第２給紙部２ｂの給紙部制御盤１０に接続され、第２給紙部２ｂと第３給紙部２ｃとの間に設置された給紙部照明灯２０は、第３給紙部２ｃの給紙部制御盤１０に接続され、第３給紙部２ｃと第４給紙部２ｄとの間に設置された２つの給紙部照明灯２０は、第４給紙部２ｄの給紙部制御盤１０に接続されている。
【００３３】
印刷部照明灯２２，２４，２６は、図３に示すように、各印刷部４ａ〜４ｅの周囲を取り囲むように配置されている。具体的には、印刷部照明灯２２，２４，２６は、各印刷部４ａ〜４ｅの操作側（図１中の紙面手前側）に配置されるＯＳ側照明灯２２と、各印刷部４ａ〜４ｅの非操作側（駆動側。図１中の紙面奥側）に配置されるＤＳ側照明灯２４と、各印刷部４ａ〜４ｅを挟み込むように該印刷部の側部に配置される側面照明灯２６とを備えている。これら印刷部照明灯２２，２４，２６は、工場の１階部分若しくは２階部分の天井又は各印刷部４ａ〜４ｅのフレーム内等の任意の箇所に取り付けられている。なお、「操作側」とは、作業者によって運転操作等がなされる側（オペレーションサイド，ＯＳ）を意味し、「非操作側」とは、「操作側」の反対側を意味する。「非操作側」には、通常、電動機等の駆動系が配置されることから、駆動側（ドライブサイド，ＤＳ）とも称する。
【００３４】
各印刷部照明灯２２，２４，２６は、図２に示すように、近傍に設置された印刷部（４ａ〜４ｅ）の印刷部制御盤１２に電気的に接続され、該印刷部制御盤１２から供給される電力により点灯するよう構成されている。
【００３５】
具体的には、図２に示すように、第１印刷部４ａに対応付けて設けられたＯＳ側照明灯２２及びＤＳ側照明灯２４は、第１印刷部４ａの印刷部制御盤１２に接続されている。第２印刷部４ｂ〜第５印刷部４ｅに対応付けて設けられたＯＳ側照明灯２２及びＤＳ側照明灯２４についても同様に、対応する印刷部の印刷部制御盤１２に接続されている。なお、第１、第２及び第５印刷部４ａ，４ｂ，４ｅの上部側印刷ユニット５ｂに対応付けて設けられたＯＳ側照明灯２２は、該印刷部の下部側印刷ユニット５ａのＯＳ側照明灯２２を介して印刷部制御盤１２に接続されており、同様に、第１、第２及び第５印刷部４ａ，４ｂ，４ｅの上部側印刷ユニット５ｂに対応付けて設けられたＤＳ側照明灯２４は、該印刷部の下部側印刷ユニット５ａのＤＳ側照明灯２４を介して印刷部制御盤１２に接続されている。
【００３６】
また、印刷部間に設置された側面照明灯２６は、図２に示すように、隣接する印刷部のうち、折部８に近い側に設置された印刷部の印刷部制御盤１２に接続されている。具体的には、第１印刷部４ａと第２印刷部４ｂとの間に設置された側面照明灯２６は、第２印刷部４ｂの印刷部制御盤１２に接続され、第２印刷部４ｂと第３印刷部４ｃとの間に設置された側面照明灯２６は、第３印刷部４ｃの印刷部制御盤１２に接続され、第３印刷部４ｃと第４印刷部４ｄとの間に設置された側面照明灯２６は、第４印刷部４ｄの印刷部制御盤１２に接続されている。なお、第１、第２及び第５印刷部４ａ，４ｂ，４ｅの上部側印刷ユニット５ｂに対応付けて設けられた側面照明灯２６は、該印刷部の下部側印刷ユニット５ａの側面照明灯２６を介して印刷部制御盤１２に接続されている。
【００３７】
レールフレーム部照明灯２８，３０は、図１及び図２に示すように、第３及び第４レールフレーム部６ｃ，６ｄの下側部分（工場の２階部分）に配置されている。具体的には、レールフレーム部照明灯２８，３０は、第３及び第４レールフレーム部６ｃ，６ｄの下側部分の操作側（図１中の紙面手前側）に配置されるＯＳ側照明灯２８と、第３及び第４レールフレーム部６ｃ，６ｄの下側部分の非操作側（駆動側。図１中の紙面奥側）に配置されるＤＳ側照明灯３０とを備えている。これらレールフレーム部照明灯２８，３０は、工場の２階部分の天井又は第３及び第４レールフレーム部６ｃ，６ｄの各フレーム内等の任意の箇所に取り付けられている。
【００３８】
各レールフレーム部照明灯２８，３０は、図２に示すように、第４レールフレーム部６ｄのレールフレーム部制御盤１４に電気的に接続され、該レールフレーム部制御盤１４から供給される電力により点灯するよう構成されている。具体的には、第３レールフレーム部６ｃに対応付けて設けられたＯＳ側照明灯２８及びＤＳ側照明灯３０と、第４レールフレーム部６ｄに対応付けて設けられたＯＳ側照明灯２８及びＤＳ側照明灯３０との双方が、第４レールフレーム部６ｄのレールフレーム部制御盤１４に接続されている。
【００３９】
折部照明灯３２，３４，３６は、図１及び図２に示すように、折部８の周囲を取り囲むように配置されている。具体的には、折部照明灯３２，３４，３６は、折部８の操作側（図１中の紙面手前側）に配置されるＯＳ側照明灯３２と、折部８の非操作側（駆動側。図１中の紙面奥側）に配置されるＤＳ側照明灯３４と、折部８の側部に配置される側面照明灯３６とを備えている。これら折部照明灯３２，３４，３６は、工場の１階部分若しくは２階部分の天井又は折部８のフレーム内等の任意の箇所に取り付けられている。
【００４０】
各折部照明灯３２，３４，３６は、図２に示すように、折部８の折部制御盤１６に電気的に接続され、該折部制御盤１６から供給される電力により点灯するよう構成されている。具体的には、折部８の下側部分（工場の１階部分）に対応付けて設けられたＯＳ側照明灯３２及びＤＳ側照明灯３４と、折部８の下側部分の両側部に設けられた一対の側面照明灯３６は、折部制御盤１６に接続されている。また、折部８の上側部分（工場の２階部分）に対応付けて設けられたＯＳ側照明灯３２及びＤＳ側照明灯３４と、折部８の上側部分の一方の側部（折部８と第５印刷部４ｅとの間）に設けられた側面照明灯３６は、折部８の下側部分のＯＳ側照明灯３２、ＤＳ側照明灯３４又は側面照明灯３６を介して折部制御盤１６に接続されている。
【００４１】
［機内照明システムの制御的構成］
また、本実施形態に係る機内照明システムは、図２に示すように、第１〜第５給紙部２ａ〜２ｅの各給紙部制御盤１０にそれぞれ組み込まれた給紙部照明制御部（図示せず）と、第１〜第５印刷部４ａ〜４ｅの各印刷部制御盤１２にそれぞれ組み込まれた印刷部照明制御部（図示せず）と、第４レールフレーム部６ｄのレールフレーム部制御盤１４に組み込まれたレールフレーム部照明制御部（図示せず）と、折部８の折部制御盤１６に組み込まれた折部照明制御部（図示せず）と、操作盤１８に組み込まれた照明制御設定部（図示せず）とを備えている。
【００４２】
本実施形態に係る機内照明システムは、操作盤１８に照明制御設定部を組み込むことにより、折部グラフィックパネルＧＰを用いた点灯制御の設定を実行することが可能に構成されており、また、各制御盤１０，１２，１４，１６に照明制御部を組み込むことにより、後述する「自動モード」による各照明灯の点灯制御を実行することが可能となる。
【００４３】
具体的には、操作盤１８の照明制御設定部は、輪転機全体の運転に関する各種情報を設定するための既存の設定画面に加え、図４に示すように、機内照明システムの点灯制御を設定するための機内照明設定画面４０を折部グラフィックパネルＧＰ上に表示可能に構成されている。また、操作盤１８の照明制御設定部は、機内照明設定画面４０を介して作業者により設定入力された制御条件に基づいて、機内照明システムの給紙部照明制御部、印刷部照明制御部、レールフレーム部照明制御部及び折部照明制御部に対し、それぞれ動作指示を出力するよう構成されている。
【００４４】
機内照明設定画面４０は、図４に示すように、現在の印刷速度（単位時間あたりの印刷部数）や印刷部数（カウンタ部数）等の情報を表示する表示領域４１と、機内照明システムに対する点灯制御を自動で行う「自動モード」と当該点灯制御を手動で行う「手動モード」とを切り替えるための各種ボタンが配置されたモード選択領域４２と、「手動モード」における点灯・消灯を切り替えるための各種ボタンが配置された手動モード用選択領域４３と、「自動モード」における点灯・消灯を切り替えるための各種ボタンが配置された自動モード用選択領域４４とが設けられている。
【００４５】
モード選択領域４２には、図４に示すように、「自動モード」を選択するための自動モード選択ボタン４２ａと、「手動モード」を選択するための手動モード選択ボタン４２ｂとが設けられている。これら自動モード選択ボタン４２ａ及び手動モード選択ボタン４２ｂは、いずれか一方のみが選択されるよう構成されている。本実施形態に係る機内照明システムは、作業者により自動モード選択ボタン４２ａが選択された場合には、自動モード用選択領域４４において設定された選択条件に基づき、機内照明システムの各照明灯の点灯制御が自動で実行されるよう構成されている。一方、本実施形態に係る機内照明システムは、作業者により手動モード選択ボタン４２ｂが選択された場合には、手動モード用選択領域４３に設けられた各ボタンが有効となり、これら各ボタンに対する作業者の手動操作に基づいて機内照明システムの各照明灯の点灯制御が実行されるよう構成されている。
【００４６】
手動モード用選択領域４３には、図４に示すように、全ての給紙部照明灯２０の点灯状態を一括して手動で切り替えるための給紙部用切替ボタン４５ａと、全ての印刷部照明灯２２，２４，２６の点灯状態を一括して手動で切り替えるための印刷部用切替ボタン４６ａと、全てのレールフレーム部照明灯２８，３０の点灯状態を一括して手動で切り替えるためのレールフレーム部用切替ボタン４７ａと、全ての折部照明灯３２，３４，３６の点灯状態を一括して手動で切り替えるための折部用切替ボタン４８ａとが設けられている。これら各切替ボタン４５ａ，４６ａ，４７ａ，４８ａは、手動モード選択ボタン４２ｂが選択された状態においてのみ操作可能に構成されており、作業者に押下されるたびに、対応する照明灯の点灯と消灯とを一括で切り替えるように構成されている。
【００４７】
上述した「自動モード」では、印刷準備中、刷了時及び故障停止時等のオフセット輪転印刷機１による印刷が停止している状態（以下、「機械停止中」という）と、オフセット輪転印刷機１による印刷が実行されている状態（以下、「印刷中」という）とに分けて自動点灯制御が実行される。
【００４８】
このため、自動モード用選択領域４４には、図４に示すように、給紙部、印刷部、折部及びレールフレーム部毎に、機械停止中における点灯状態を設定するための停止時条件設定ボタン４５ｂ，４６ｂ，４７ｂ，４８ｂと、印刷中における点灯状態を設定するための印刷時条件設定ボタン４５ｃ，４６ｃ〜４６ｅ，４７ｃ〜４７ｅ，４８ｃ，４８ｄとが設けられている。また、自動モード用選択領域４４には、給紙部及び印刷部毎に、折丁の作成に不要等の理由により稼働対象から除外されている場合（連動選択ではない場合）における点灯状態を設定するための非連動時条件設定ボタン４５ｄ，４６ｆが設けられている。なお、ここでいう「印刷中」とは、検紙速度（図５の速度Ｖ１）での良紙確認後の増速開始（図５の時間ｔ２）からシーケンシャルオフによる減速終了（図５の時間ｔ５）までの間の状態をいい、「機械停止中」とは、印刷中以外の状態をいうものとする。
【００４９】
具体的には、自動モード用選択領域４４には、図４に示すように、給紙部（第１〜第５給紙部２ａ〜２ｅ）に対応付けて、停止時条件設定ボタン４５ｂと、印刷時条件設定ボタン４５ｃと、非連動時条件設定ボタン４５ｄとが設けられている。停止時条件設定ボタン４５ｂは、機械停止中に全ての給紙部照明灯２０を点灯（ＯＮ）させるか消灯（ＯＦＦ）させるかを選択可能に構成されている。印刷時条件設定ボタン４５ｃは、印刷中において、稼働対象となっている給紙部の給紙部照明灯２０を点灯（ＯＮ）させるか消灯（ＯＦＦ）させるかを選択可能に構成されている。非連動時条件設定ボタン４５ｄは、印刷中において、稼働対象から除外されている給紙部の給紙部照明灯２０を点灯（ＯＮ）させるか消灯（ＯＦＦ）させるかを選択可能に構成されている。なお、稼働対象であるか否か（連動選択であるか否か）を設定する構成としては、例えば、上位システムから取得した印刷スケジュールに基づいて自動で設定される構成や、機内照明設定画面４０を用いた点灯制御設定よりも前に連動選択画面上において作業者が手動で設定する構成等、種々の構成を採用可能である。
【００５０】
ここで、本実施形態に係る機内照明システムは、稼働対象から除外されている給紙部が、折部８と稼働対象となっている給紙部との間に位置している場合には、非連動時条件設定ボタン４５ｄの設定ではなく、印刷時条件設定ボタン４５ｃの設定が優先して適用されるよう構成されている。これにより、例えば、印刷時条件設定ボタン４５ｃが点灯（ＯＮ）、非連動時条件設定ボタン４５ｄが消灯（ＯＦＦ）に設定されている状況、かつ、第３給紙部２ｃが稼働対象となっており、第４給紙部２ｄが稼働対象から除外されている状況下においては、第４給紙部２ｄは第３給紙部２ｃと折部８との間に位置しているため、印刷中は安全上の理由から、第４給紙部２ｄの給紙部照明灯２０は消灯せずに点灯する。なお、このような条件判定は、給紙部制御盤１０の給紙部照明制御部により実行されても良いし、操作盤１８により実行されても良い。
【００５１】
また、自動モード用選択領域４４には、図４に示すように、印刷部（第１〜第５印刷部４ａ〜４ｅ）に対応付けて、停止時条件設定ボタン４６ｂと、印刷時条件設定ボタン４６ｃ〜４６ｅと、非連動時条件設定ボタン４６ｆとが設けられている。停止時条件設定ボタン４６ｂは、機械停止中に全ての印刷部照明灯２２，２４，２６を点灯（ＯＮ）させるか消灯（ＯＦＦ）させるかを選択可能に構成されている。印刷時条件設定ボタン４６ｃ〜４６ｅは、印刷中において、稼働対象となっている印刷部のＯＳ側照明灯２２を点灯（ＯＮ）させるか消灯（ＯＦＦ）させるかを選択可能なＯＳ用印刷時条件設定ボタン４６ｃと、同印刷部のＤＳ側照明灯２４を点灯（ＯＮ）させるか消灯（ＯＦＦ）させるかを選択可能なＤＳ用印刷時条件設定ボタン４６ｄと、同印刷部の側面照明灯２６を点灯（ＯＮ）させるか消灯（ＯＦＦ）させるかを選択可能な側面用印刷時条件設定ボタン４６ｅとからなる。非連動時条件設定ボタン４６ｆは、印刷中において、稼働対象から除外されている印刷部の印刷部照明灯２２，２４，２６を点灯（ＯＮ）させるか消灯（ＯＦＦ）させるかを選択可能に構成されている。なお、稼働対象であるか否か（連動選択であるか否か）は、機内照明設定画面４０を用いた点灯制御設定よりも前に予め設定される。
【００５２】
なお、本実施形態に係る機内照明システムは、上述した給紙部の場合と同様に、稼働対象から除外されている印刷部が、折部８と稼働対象となっている印刷部との間に位置している場合には、非連動時条件設定ボタン４６ｆの設定ではなく、印刷時条件設定ボタン４６ｃ〜４６ｅの設定が優先して適用されるよう構成されている。このような条件判定は、印刷部制御盤１２の印刷部照明制御部により実行されても良いし、操作盤１８により実行されても良い。
【００５３】
さらに、自動モード用選択領域４４には、図４に示すように、折部８に対応付けて、停止時条件設定ボタン４７ｂと、印刷時条件設定ボタン４７ｃ〜４７ｅとが設けられている。停止時条件設定ボタン４７ｂは、機械停止中に全ての折部照明灯３２，３４，３６を点灯（ＯＮ）させるか消灯（ＯＦＦ）させるかを選択可能に構成されている。印刷時条件設定ボタン４７ｃ〜４７ｅは、印刷中においてＯＳ側照明灯３２を点灯（ＯＮ）させるか消灯（ＯＦＦ）させるかを選択可能なＯＳ用印刷時条件設定ボタン４７ｃと、同じく印刷中においてＤＳ側照明灯３４を点灯（ＯＮ）させるか消灯（ＯＦＦ）させるかを選択可能なＤＳ用印刷時条件設定ボタン４７ｄと、同じく印刷中において側面照明灯３６を点灯（ＯＮ）させるか消灯（ＯＦＦ）させるかを選択可能な側面用印刷時条件設定ボタン４７ｅとからなる。なお、印刷中において折部８は常に稼働対象であるため、本実施形態では、折部８に対して非連動時条件設定ボタンを設けていない。
【００５４】
また、自動モード用選択領域４４には、図４に示すように、レールフレーム部（第３及び第４レールフレーム部６ｃ，６ｄ）に対応付けて、停止時条件設定ボタン４８ｂと、印刷時条件設定ボタン４８ｃ，４８ｄとが設けられている。停止時条件設定ボタン４８ｂは、機械停止中に全てのレールフレーム部照明灯２８，３０を点灯（ＯＮ）させるか消灯（ＯＦＦ）させるかを選択可能に構成されている。印刷時条件設定ボタン４８ｃ，４８ｄは、印刷中においてＯＳ側照明灯２８を点灯（ＯＮ）させるか消灯（ＯＦＦ）させるかを選択可能なＯＳ用印刷時条件設定ボタン４８ｃと、同じく印刷中においてＤＳ側照明灯３０を点灯（ＯＮ）させるか消灯（ＯＦＦ）させるかを選択可能なＤＳ用印刷時条件設定ボタン４８ｄとからなる。なお、印刷中においてレールフレーム部（第３及び第４レールフレーム部６ｃ，６ｄ）は常に稼働対象であるため、本実施形態では、レールフレーム部（第３及び第４レールフレーム部６ｃ，６ｄ）に対して非連動時条件設定ボタンを設けていない。
【００５５】
なお、自動モード用選択領域４４に設けられた各ボタンの初期選択状態は、上位システムから取得したデータに基づいてプリセットされるよう構成されている。ただし、当該プリセット機能に依らずに、前回印刷稼働時の選択状態を引き継ぐ構成としても良いし、印刷の都度、予め定められた初期選択状態となる構成としても良い。
【００５６】
上述した給紙部照明制御部、印刷部照明制御部、レールフレーム部照明制御部及び折部照明制御部は、それぞれ、オフセット輪転印刷機１の速度信号（印刷速度）を取得可能に構成されている。また、給紙部照明制御部、印刷部照明制御部、レールフレーム部照明制御部及び折部照明制御部は、それぞれ、無線又は有線によって操作盤１８とデータ通信可能に接続されており、該操作盤１８から、機内照明設定画面４０を介して作業者により入力された各照明灯の点灯制御の設定内容（以下、「操作盤１８からの指示」という）を取得可能に構成されている。
【００５７】
これら給紙部照明制御部、印刷部照明制御部、レールフレーム部照明制御部及び折部照明制御部は、それぞれ、上述した「手動モード」においては、操作盤１８からの指示のみに基づいて対象となる各照明灯への電力供給をＯＮ／ＯＦＦするよう構成されている。また、これら給紙部照明制御部、印刷部照明制御部、レールフレーム部照明制御部及び折部照明制御部は、それぞれ、上述した「自動モード」においては、リアルタイムで取得した速度信号と、操作盤１８からの指示に基づいて、対象となる各照明灯への電力供給をＯＮ／ＯＦＦするよう構成されている。
【００５８】
このような機能を有する給紙部照明制御部、印刷部照明制御部、レールフレーム部照明制御部及び折部照明制御部としては、例えば、上述した速度信号及び操作盤１８からの指示に基づいてリレーを動作させ、各照明灯への電力供給をＯＮ／ＯＦＦするようプログラムされたＰＬＣ（Ｐｒｏｇｒａｍｍａｂｌｅ  Ｌｏｇｉｃ  Ｃｏｎｔｒｏｌｌｅｒ）を採用することが可能であるが、これに限定されず、種々の構成を採用することが可能である。
【００５９】
本実施形態に係る機内照明システムは、このように、給紙部照明灯２０、印刷部照明灯２２，２４，２６、レールフレーム部照明灯２８，３０及び折部照明灯３２，３４，３６をそれぞれ独立した制御部（給紙部照明制御部、印刷部照明制御部、レールフレーム部照明制御部及び折部照明制御部）に細分化して個別に配線する構成としたことにより、給紙部照明灯２０、印刷部照明灯２２，２４，２６、レールフレーム部照明灯２８，３０及び折部照明灯３２，３４，３６を互いに独立して点灯制御することが可能に構成されている。
【００６０】
また、本実施形態に係る機内照明システムは、上述した機内照明設定画面４０によって、共通する制御盤に接続された複数の照明灯について、設置個所（ＯＳ側、ＤＳ側、側面）毎に異なる点灯制御を設定可能としたことにより、ＯＳ側照明灯、ＤＳ側照明灯及び側部照明灯を各々独立して点灯制御することが可能に構成されている。
【００６１】
そして、このような本実施形態に係る機内照明システムによれば、細かな単位で点灯と消灯の操作が可能となり、ピンポイントで必要な箇所だけ点灯させることが可能となる。これにより、例えば、印刷中に作業者が立ち寄ることが無く、点灯が不要な照明灯（例えば、レールフレーム部照明灯２８，３０や各ユニットのＤＳ側照明灯等）を自動で消灯させることが可能となるため、無駄な電力消費を抑え、省エネ化を図ることが可能である。また、本実施形態に係る機内照明システムによれば、自動消灯した後に点灯が必要となった場合（例えば、機械停止中等）に、消灯していた各照明灯を自動で点灯させることが可能となるため、作業性の低下を防ぐことも可能である。さらに、本実施形態に係る機内照明システムによれば、自動制御により各照明灯のピンポイントな点灯・消灯の切り替えが可能となるため、当該操作を作業者が行う必要がなく、作業負担を軽減することが可能となる。
【００６２】
なお、本実施形態に係る機内照明システムは、当該個別の点灯制御に加え、例えば折部８のＯＳ側等の任意の箇所に設けられたメカニカルスイッチ（主電源）の操作により、各照明灯を手動で消灯させることも可能に構成されている。
【００６３】
［機内照明システムの点灯制御方法］
次に、本実施形態に係る機内照明システムの点灯制御の一例について、図５を用いて説明する。なお、図５は、印刷スケジュールの一例を示すタイムチャートであり、図中の太線が、オフセット輪転印刷機１の稼働状況を示している。オフセット輪転印刷機１は、本例では作業者の手動操作に基づき、印刷を実行する。
【００６４】
本例に係る機内照明システムの点灯制御は、上述した「自動モード」における点灯制御であり、図４に示すように、機内照明設定画面４０において、自動モード用選択領域４４の停止時条件設定ボタン及び印刷時条件設定ボタンの点灯（ＯＮ）／消灯（ＯＦＦ）選択に基づいて、各照明灯を自動で点灯／消灯させる制御である。なお、本例に係る「自動モード」における設定ボタンの点灯（ＯＮ）／消灯（ＯＦＦ）が選択されている状態の一例として、図４に示すように、各設定ボタンを網掛けで示している。
【００６５】
具体的には、図５に示すように、オフセット輪転印刷機１が機械停止中の状態において、次に実行される印刷ジョブ（図中、「ジョブ１」）に向けて、時間ｔ０においてオフセット輪転印刷機１が動作を開始する。そして、時間ｔ１において、オフセット輪転印刷機１の動作速度が検紙を行うための検紙速度Ｖ１に到達すると、オフセット輪転印刷機１の動作速度を検紙速度Ｖ１に保ち、作業者による検紙が行われる。なお、これらオフセット輪転印刷機１の動作開始及び検紙速度Ｖ１までの増速は、本例では作業者の手動操作により行われる。
【００６６】
そして、作業者による検紙が終了し、時間ｔ２において作業者によって印刷開始操作が行われると、検紙速度Ｖ１から印刷最高速度Ｖ２に向けて、オフセット輪転印刷機１の動作速度の増速が開始される。なお、当該検紙及び印刷開始操作は、任意の良紙判定プログラムを用いて自動で実行されても良い。ここで、検紙速度Ｖ１は、印刷最高速度Ｖ２よりも低い速度であり、例えば印刷最高速度Ｖ２が１６万部／時に設定される場合には、検紙速度Ｖ１は６万部／時程度に設定することが可能である。ただし、これら検紙速度Ｖ１及び印刷最高速度Ｖ２は、任意に設定可能である。
【００６７】
本例では、以上の時間ｔ０から時間ｔ２までの印刷準備期間を「機械停止中」として取り扱い、各照明灯は停止時条件設定ボタン４５ｂ，４６ｂ，４７ｂ，４８ｂの点灯（ＯＮ）／消灯（ＯＦＦ）選択に基づいて制御されている。本例では、図４に示すように、停止時条件設定ボタン４５ｂ，４６ｂ，４７ｂ，４８ｂがすべて点灯（ＯＮ）選択であるため、「機械停止中」においては、給紙部、印刷部、折部及びレールフレーム部のすべての照明灯が点灯されている。一方、本例では、印刷開始操作が実行されたタイミング（時間ｔ２）で、「機械停止中」から「印刷中」に切り替わり、各照明灯は印刷時条件設定ボタンの点灯（ＯＮ）／消灯（ＯＦＦ）選択に基づいて制御される。なお、「機械停止中」の期間設定については、本例に限定されず、任意に設定可能である。
【００６８】
印刷開始操作が実行されると（時間ｔ２）、オフセット輪転印刷機１は印刷最高速度Ｖ２に向けて増速し、時間ｔ３において印刷最高速度Ｖ２に到達すると、印刷最高速度Ｖ２を維持したまま印刷が継続される。そして、目標部数が近づいた任意のタイミング（時間ｔ４）において、オフセット輪転印刷機１を停止させるために減速を始め（シーケンシャルオフ開始）、目標部数に到達したタイミング（時間ｔ５）でオフセット輪転印刷機１の稼働が停止され、若干の惰性運転の後、時間ｔ６においてオフセット輪転印刷機１が完全に停止する。その後、オフセット輪転印刷機１は、次に実行される印刷ジョブ（図中、「ジョブ２」）まで停止状態が維持され、該ジョブ２が近づいたタイミングで、上述した動作を繰り返し実行する。なお、これらオフセット輪転印刷機１の減速及び稼働停止は、本例では作業者の手動操作により行われる。
【００６９】
本例では、以上の時間ｔ２から時間ｔ５までの印刷期間を「印刷中」として取り扱い、各照明灯は印刷時条件設定ボタン４５ｃ，４６ｃ〜４６ｅ，４７ｃ〜４７ｅ，４８ｃ，４８ｄの点灯（ＯＮ）／消灯（ＯＦＦ）選択に基づいて制御されている。本例では、図４に示すように、印刷時条件設定ボタン４５ｃ，４６ｃ，４７ｃ，４７ｅ，が点灯（ＯＮ）選択であり、印刷時条件設定ボタン４６ｄ，４６ｅ，４７ｄ，４８ｃ，４８ｄが消灯（ＯＦＦ）選択である。したがって、「印刷中」においては、給紙部照明灯２０は点灯が維持される。また、印刷部照明灯はＯＳ側照明灯２２のみ点灯が維持され、ＤＳ側照明灯２４及び側部照明灯２６は消灯される。さらに、折部照明灯はＯＳ側照明灯３２及び側部照明灯３６の点灯が維持され、ＤＳ側照明灯３４は消灯される。また、レールフレーム部照明灯はＯＳ側照明灯２８及びＤＳ側照明灯３０が消灯される。一方、本例では、オフセット輪転印刷機１の稼働が停止されたタイミング（時間ｔ５）で、「印刷中」から「機械停止中」に切り替わり、各照明灯は再び停止時条件設定ボタンの点灯（ＯＮ）／消灯（ＯＦＦ）選択に基づいて制御される。なお、「印刷中」の期間設定については、本例に限定されず、任意に設定可能である。
【００７０】
以上のとおり、本例に係る機内照明システムの点灯制御によれば、オフセット輪転印刷機１の稼働と連動させて照明灯を自動で点灯及び消灯させることが可能となるため、無駄な電力消費を抑え、省エネ化を図ることが可能である。
【００７１】
以上、本発明の好適な実施形態について説明したが、本発明の技術的範囲は、上述した実施形態に記載の範囲には限定されない。上記各実施形態には、多様な変更又は改良を加えることが可能である。
【００７２】
例えば、上述の実施形態においては、オフセット輪転印刷機であるものとして説明したが、これに限定されず、デジタル印刷機等の種々の印刷機であっても良い。
【００７３】
また、上述した実施形態においては、第３及び第４レールフレーム部６ｃ，６ｄの下側部分にのみレールフレーム部照明灯２８，３０が設けられるものとして説明したが、これに限定されず、第１、第２及び第５レールフレーム部６ａ，６ｂ，６ｅや第３及び第４レールフレーム部６ｃ，６ｄの上側部分にもレールフレーム部照明灯２８，３０が設けられる構成としても良い。この場合において、階層が異なるレールフレーム部照明灯２８，３０（第３及び第４レールフレーム部６ｃ，６ｄの下側部分に設けられたレールフレーム部照明灯２８，３０と、第１、第２及び第５レールフレーム部６ａ，６ｂ，６ｅや第３及び第４レールフレーム部６ｃ，６ｄの上側部分に設けられたレールフレーム部照明灯２８，３０）は、各々独立して点灯制御を実行可能な構成としても良い。
【００７４】
上記のような変形例が本発明の範囲に含まれることは、特許請求の範囲の記載から明らかである。
【符号の説明】
【００７５】
１  オフセット輪転印刷機（印刷機）、２ａ〜２ｅ  給紙部、４ａ〜４ｅ  印刷部、６ａ〜６ｅ  レールフレーム部、８  折部、１０  給紙部制御盤、１２  印刷部制御盤、１４  レールフレーム部制御盤、１６  折部制御盤、１８  操作盤、２０  給紙部照明灯、２２，２４，２６  印刷部照明灯、３２，３４，３６  折部照明灯、２８，３０  レールフレーム部照明灯
【図１】
2020104444.tif 000003
【図２】
2020104444.tif 000004
【図３】
2020104444.tif 000005
【図４】
2020104444.tif 000006
【図５】
2020104444.tif 000007